(57)【要約】【課題】台秤の内部の掃除や点検などを行なう際、天板を本体から取り除く必要がなく、簡単に台秤の内部を開放状態にすることができ、作業性の向上を図った台秤を提供する。【解決手段】平面形状が矩形のフレーム状本体１のコーナー部においてロードセル２が設けられているとともに各ロードセル２の下側にフレーム状本体１の裏面から下方に僅かに突出するように脚部３が設けられ、フレーム状本体１内に和算箱４が設けられ、前記フレーム状本体１の上面を覆うようにフレーム状本体１上に載る天板５が設けられ、この天板５の後端部はフレーム状本体１の後端部にヒンジ６により開閉自在に支持され、またこの天板５とフレーム状本体１の後端部との間は空気圧シリンダー７で結合されて、天板５はフレーム状本体１上に載った状態とフレーム状本体１の上面を開いた状態との間で自在に開閉できるように構成した。【選択図】    図３
2006017597.tif 000002
【特許請求の範囲】
【請求項１】
平面形状が矩形のフレーム状本体のコーナー部においてロードセルが設けられているとともに各ロードセルの下側にフレーム状本体の裏面から下方に僅かに突出するように脚部が設けられ、フレーム状本体内に和算箱が設けられ、前記フレーム状本体の上面を覆うようにフレーム状本体上に載る天板が設けられ、この天板の後端部はフレーム状本体の後端部にヒンジにより開閉自在に支持され、またこの天板とフレーム状本体の後端部との間は空気圧シリンダーで結合されて、天板はフレーム状本体上に載った状態とフレーム状本体の上面を開いた状態との間で自在に開閉できるように構成されてなることを特徴とする台秤。
【請求項２】
天板の左右両側で前端部にロック部材が設けられ、このロック部材をフレーム状本体の前端部に設けられた係止部に係止させることにより天板の閉塞状態が維持されるようにしたことを特徴とする台秤。
【発明の詳細な説明】
【技術分野】
【０００１】
本発明は、例えば食品や医薬品の製造現場において好適に使用される薄型の台秤に関するものである。
【背景技術】
【０００２】
従来のこの種台秤としては、特許文献１に開示されているような、本体側に取り付けたロードセルに取付部材を介して結合されるように本体の上からカバー状の載せ台を被せているものが知られている。
【特許文献１】特開２００３−３０７４５４号公報
【発明の開示】
【発明が解決しようとする課題】
【０００３】
上記特許文献１に開示されているような台秤において、台秤の内部の掃除や点検などの際、載せ台とロードセルとの結合を外して載せ台を本体から取り除かなければならず、手間がかかるという問題があった。
【０００４】
本発明の目的は、このような課題を解決するものであり、台秤の内部の掃除や点検などを行なう際、載せ台（天板）を本体から取り除く必要がなく、簡単に台秤の内部を開放状態にすることができ、作業性の向上を図った台秤を提供することにある。
【課題を解決するための手段】
【０００５】
本発明の請求項１に記載の台秤は、平面形状が矩形のフレーム状本体のコーナー部においてロードセルが設けられているとともに各ロードセルの下側にフレーム状本体の裏面から下方に僅かに突出するように脚部が設けられ、フレーム状本体内に和算箱が設けられ、前記フレーム状本体の上面を覆うようにフレーム状本体上に載る天板が設けられ、この天板の後端部はフレーム状本体の後端部にヒンジにより開閉自在に支持され、またこの天板とフレーム状本体の後端部との間は空気圧シリンダーで結合されて、天板はフレーム状本体上に載った状態とフレーム状本体の上面を開いた状態との間で自在に開閉できるように構成されてなることを特徴とする。
【０００６】
請求項２に記載の台秤は、天板の左右両側で前端部にロック部材が設けられ、このロック部材をフレーム状本体の前端部に設けられた係止部に係止させることにより天板の閉塞状態が維持されるようにしたことを特徴とする。
【発明の効果】
【０００７】
以上のように、本発明の台秤は、台秤の内部の掃除や点検などを行なうために天板を開く場合は、天板を空気圧シリンダーの力を借りて持ち上げればフレーム状本体の上面は開放状態となり、掃除や点検などの作業を容易に行なうことができる。
【発明を実施するための最良の形態】
【０００８】
以下、本発明の一実施の形態を、図１〜図３を用いて具体的に説明する。
図において、１は平面形状が長方形（または正方形）などの矩形のフレーム状本体で、この本体１はステンレス製の棒状体１ａ，１ｂ、１ｃ，１ｄを前後、左右に位置させるとともに、前後の棒状体１ａ，１ｂ間に左右の棒状体１ｃ，１ｄと平行に左右の棒状体１ｃ，１ｄに近接するように棒状体１ｅ，１ｆを位置させ、さらにこの棒状体１ｅ，１ｆと前後の棒状体１ａ，１ｂで囲まれる空間内に前後の棒状体１ａ，１ｂと平行な棒状体１ｇ，１ｈおよび前後の棒状体１ａ，１ｂに対し直交する棒状体１ｉ，１ｊを位置させて組み立てられている。
【０００９】
前記フレーム状本体１の４箇所のコーナー部においてロードセル２が設けられているとともに各ロードセル２の下側にフレーム状本体１の裏面から下方に僅かに突出するように脚部３が設けられている。
【００１０】
４は前記フレーム状本体１の前側の棒状体１ａと平行な棒状体１ｇに近接して棒状体１ｉ，１ｊ間に位置するように設けられた和算箱である。
５は前記フレーム状本体１の上面を覆うようにフレーム状本体１上に載る天板で、この天板５の後端部は後側の棒状体１ｂに対しヒンジ６により開閉自在に支持され、またこの天板５とフレーム状本体１の後側の棒状体１ｂとの間は左右両側２箇所において空気圧シリンダー７で結合されて、天板５はフレーム状本体１上に載った状態とフレーム状本体１の上面を開いた状態との間で自在に開閉できるようになっている。前記空気圧シリンダー７は天板５を開いた状態で支持するものである。
【００１１】
通常の状態では天板５は閉じられ、天板５の左右両側で前端部に設けられたロック部材８を前記フレーム状本体１の前端部に設けられた係止部９に係止させることにより閉塞状態が維持されるようになっている。
【００１２】
台秤の内部の掃除や点検などを行なうために天板５を開く場合は、天板５の左右両側で前端部に位置する孔１０にキーを差し込み、前記ロック部材８の係止を解除した状態で天板５の前端中央部に設けた孔１１にキーを差し込んで天板５を前記空気圧シリンダー７の力を借りて持ち上げれば良い。
【００１３】
なお、本発明の台秤を構成するフレーム状本体１の他の部品もフレーム状本体１と同様にステンレス製のものが使用される。
以上、図面に示す実施の形態について述べたが、台秤の大きさに応じて前記空気圧シリンダー７の取り付け位置は中央部１箇所だけであっても良く、また天板５は左右に２分割されてあっても良い。
【００１４】
また、本発明の台秤は薄型であり、床面上に置かれて使用されるか、床面に形成されたピット内に収められた状態で使用される。
【図面の簡単な説明】
【００１５】
【図１】本発明の一実施の形態における台秤の天板が閉じられた状態を示す斜視図である。
【図２】同台秤の天板が閉じられた状態を示す正面図である。
【図３】同台秤の天板が開かれた状態を示す斜視図である。
【符号の説明】
【００１６】
１          フレーム状本体
２          ロードセル
３          脚部
４          和算箱
５          天板
６          ヒンジ
７          空気圧シリンダー
８          ロック部材
９          係止部
１０，１１    孔
【図１】
2006017597.tif 000003
【図２】
2006017597.tif 000004
【図３】
2006017597.tif 000005